(57)【要約】      （修正有）【課題】ポンプシステムを吊り上げたときの架台の歪みを低減したポンプシステムを提供する。【解決手段】ポンプシステムは、ポンプと、駆動モータと、ポンプ及び駆動モータを載置する架台とを備える。架台は、ポンプと駆動モータとが並ぶ方向に延びる平面視略長方形状を有し、その長手方向のＣ形鋼１１の側面に炭素繊維強化プラスチック（ＣＦＲＰ）シート１６が添着された構成を有する。【選択図】図３
2017044156.tif 000002
【特許請求の範囲】
【請求項１】
ポンプと、駆動モータと、前記ポンプ及び前記駆動モータを載置する架台とを備え、
前記架台は、
前記ポンプと前記駆動モータとが並ぶ方向に延びる平面視略長方形状を有し、その長手方向の鋼板の側面に繊維強化プラスチックシートまたは炭素繊維強化プラスチックシートが添着されているポンプシステム。
【請求項２】
前記鋼板の長手方向の側面に、前記ポンプシステムを吊り上げるときにワイヤをかける吊り具が設けられている請求項１に記載のポンプシステム。
【請求項３】
ポンプ及び駆動モータを載置するための架台であって、前記ポンプと前記駆動モータとが並ぶ方向に延びる平面視略長方形状を有し、その長手方向の鋼板の側面に繊維強化プラスチックシートまたは炭素繊維強化プラスチックシートが添着されている架台。
【請求項４】
前記鋼板の長手方向の側面に、前記架台を吊り上げるときにワイヤをかける吊り具が設けられている請求項３に記載の架台。
【発明の詳細な説明】
【技術分野】
【０００１】
本発明は、ポンプ及び駆動モータが載置される架台および架台にポンプ及び駆動モータを載置して構成されたポンプシステムに関する。
【背景技術】
【０００２】
一般に、ポンプシステムは、ポンプ本体の駆動軸とモータの出力軸とがカップリング等を介して連結された状態で、鋳物等で形成された架台の上面に取り付けられて構成されている（特許文献１）。
【先行技術文献】
【特許文献】
【０００３】
【特許文献１】特開２０１０−１０１２０１号公報
【発明の概要】
【発明が解決しようとする課題】
【０００４】
ポンプシステムを搬送する際には、架台に取り付けられたアイボルト等の吊り具にワイヤをかけて、クレーンで吊り上げるが、このときに架台の強度不足によって吊り具付近が大きく歪んでしまう場合があった。
【０００５】
そこで、本発明は、ポンプシステムを吊り上げたときの架台の歪みを低減したポンプシステム及び架台を提供することを目的とする。
【課題を解決するための手段】
【０００６】
本発明のポンプシステムは、ポンプと、駆動モータと、前記ポンプ及び前記駆動モータを載置する架台とを備え、前記架台は、前記ポンプと前記駆動モータとが並ぶ方向に延びる平面視略長方形状を有し、その長手方向の鋼板の側面に繊維強化プラスチックシート（以下「ＦＲＰシート」という）または炭素繊維強化プラスチックＣＦＲＰシート（以下、「ＣＦＲＰシート」という）が添着された構成を有する。また、本発明のポンプシステムは、前記鋼板の長手方向の側面に、前記ポンプシステムを吊り上げるときにワイヤをかける吊り具が設けられていてもよい。
【０００７】
このようにＦＲＰシートまたはＣＦＲＰシートを鋼板の側面に添着することで架台の強度を高めることができる。これにより、ＦＲＰシートまたはＣＦＲＰシートを用いない場合に比べて小さいサイズの鋼板を用いて、従来と同等の強度を実現することができるので、架台の重量を減少させることができる。つまり、架台の自重を減少させつつ、強度を保てるので、ポンプシステムを吊り上げたときの歪みを低減させることができる。
【発明の効果】
【０００８】
本発明によれば、強度を保ちつつ架台を軽量化することができ、ポンプシステムを吊り上げたときの架台の歪みを低減できる。
【図面の簡単な説明】
【０００９】
【図１】実施の形態に係る架台を示す斜視図である。
【図２】実施の形態に係る架台を示す上面図である。
【図３】（ａ）（ｂ）は、架台の鋼材の断面を示す図である。
【図４】実施の形態に係るポンプシステムの構成を示す側面図である。
【発明を実施するための形態】
【００１０】
以下、本発明の実施の形態に係る架台及びポンプシステムについて説明する。
図１は実施の形態に係る架台１０の構成を示す斜視図、図２は架台１０の構成を示す上面図である。図１及び図２に見られるように、架台１０は、３０００ｍｍ×８２００ｍｍの長方形状を有している。架台１０は、複数本の形鋼１１，１２が縦横に組み合わせて構成されている。長手方向に延びる形鋼に１１番、短手方向に延びる形鋼に１２番を付している。本実施の形態では、図３（ａ）に示すように、形鋼としてＣ形鋼１１，１２が用いられている。
【００１１】
図１に見られるように、架台１０の長手方向の各側面には、３箇所ずつ吊り具１５が設けられている。この吊り具１５は、架台１０を吊り上げる際に、ワイヤを引っ掛ける役割を有するものである。また、架台１０には、駆動モータ２０を設置するモータペデスタル１３と、ポンプ２２を設置するポンプペデスタル１４が設けられている。
【００１２】
図４は、架台１０に駆動モータ２０及びポンプ２２を設置したポンプシステムの構成を示す側面図である。図４に示すように、モータペデスタル１３に駆動モータ２０が設置され、ポンプペデスタル１４にポンプ２２が設置される。ポンプペデスタル１４は、モータペデスタル１３と高さが異なっており、これにより、駆動モータ２０の出力軸２１とポンプ２２の軸２３の高さが一致し、この状態で駆動モータ２０の出力軸２１とポンプ２２の軸２３がカップリング２４によって接続されている。
【００１３】
本実施の形態では、架台１０の長手方向を構成するＣ形鋼１１の側面に、図３（ａ）に示すように、ＣＦＲＰシート１６が添着されている。ＣＦＲＰシート１６は、エポキシ樹脂系の接着剤によって、Ｃ形鋼１１に接着されている。
【００１４】
本実施の形態の架台１０は、架台１０の長手方向に添着されたＣＦＲＰシート１６により架台１０の強度が向上することができるので、その分だけ、Ｃ形鋼１１，１２のサイズを小さくすることができる。具体的には、従来のＣ形鋼１１，１２よりも１サイズ小さいＣ形鋼１１，１２を用いている。これにより、架台１０の軽量化を図ることができ、ポンプシステムを吊り上げたときの架台１０の歪みを低減できる。
【００１５】
上記した実施の形態では、長手方向に延びるすべてのＣ形鋼１１の側面にＣＦＲＰシート１６を添着する例を挙げたが、吊り具１５が取り付けられた外側のＣ形鋼１１だけにＣＦＲＰシート１６を添着することとしてもよい。これにより、コストを抑えつつ、強度の維持を図ることができる。
【００１６】
上記した実施の形態では、架台１０を構成する形鋼としてＣ形鋼１１，１２を用いる例を挙げて説明したが、架台１０を構成する形鋼はＣ形鋼１１，１２に限られず、例えば、図３（ｂ）に示すようにＨ形鋼１７を用いてもよい。Ｈ形鋼１７を用いた場合にも、その側面にＣＦＲＰシート１６を添着する。また、図示してないが、中空断面を有する鋼管を用いてもよい。
【００１７】
上記した実施の形態では、架台１０にＣＦＲＰシート１６を添着する例を挙げて説明したが、ＦＲＰシートを添着することとしてもよい。
【００１８】
上記した実施の形態では、長手方向を構成するＣ形鋼１１の側面にＣＦＲＰシート１６を添着する例を挙げたが、長手方向に加えて、短手方向を構成しているＣ形鋼１２にもＣＦＲＰシート１６を添着してもよい。
【００１９】
本実施の形態では、架台１０を複数本のＣ形鋼１１，１２を縦横に組み合わせて構成した例を挙げて説明したが、架台は、板状の鋼板を用いてもよい。
【産業上の利用可能性】
【００２０】
本発明は、ポンプ及び駆動モータを載置するポンプシステムの架台等として有用である。
【符号の説明】
【００２１】
１０  架台
１１，１２  Ｃ形鋼
１３  モータペデスタル
１４  ポンプペデスタル
１５  吊り具
１６  ＣＦＲＰシート
１７  Ｈ形鋼
２０  駆動モータ
２１  軸
２２  ポンプ
２３  軸
２４  カップリング
【図１】
2017044156.tif 000003
【図２】
2017044156.tif 000004
【図３】
2017044156.tif 000005
【図４】
2017044156.tif 000006